(57)【要約】【課題】  角度調節脚の取付け及び取外しが容易で、しかも、角度調節脚の構造が簡素な卓上機器の角度調節及び壁掛け用機構を提供する。【解決手段】  電話機１が机上等の水平面上に小角度傾斜して設置される場合には、角度調節脚１１の第１係合爪１１ａ、第２係合爪（不図示）はそれぞれ電話機の下面の第１係合用孔（不図示）、第２係合用孔２ｂに係合する。電話機が水平面上に大角度傾斜して設置される場合には、角度調節脚の第１係合爪、第２係合爪はそれぞれ電話機の第３係合用孔２ｃ、第４係合用孔２ｄに係合する。電話機が壁２１に掛けられる場合には、角度調節脚の第１，２壁掛け用孔（いずれも不図示）はそれぞれ電話機の第１壁掛け用爪２ｅ、第２壁掛け用爪２ｆに係合する。この後、電話機の壁掛け用係合部２ｇと角度調節脚の壁掛け用係合部１１ｅは、それぞれ壁のねじ２２，２３に係合する。【選択図】  図３
2005311800.tif 000002
【特許請求の範囲】
【請求項１】
卓上機器の下面に、第１係合用孔、第２係合用孔、第３係合用孔、第４係合用孔、第１壁掛け用爪、第２壁掛け用爪及び壁掛け用係合部が設けられ、
角度調節脚に、第１係合用爪、第２係合用爪、第１壁掛け用孔、第２壁掛け用孔及び壁掛け用係合部が設けられ、
前記卓上機器が小さい角度傾斜する場合には、前記角度調節脚の第１係合用爪と第２係合用爪がそれぞれ前記卓上機器の第１係合用孔と第２係合用孔に係合し、
前記卓上機器が大きい角度傾斜する場合には、前記角度調節脚の第１係合用爪と第２係合用爪がそれぞれ前記卓上機器の第３係合用孔と第４係合用孔に係合し、
前記卓上機器が壁に掛かる場合には、前記角度調節脚の第１壁掛け用孔と第２壁掛け用孔がそれぞれ前記卓上機器の第１壁掛け用爪と第２壁掛け用爪に係合し、前記卓上機器の壁掛け用係合部と前記角度調節脚の壁掛け用係合部がそれぞれ壁に係合することを特徴とする卓上機器の角度調節及び壁掛け用機構。
【請求項２】
前記卓上機器の第１係合用孔、第２係合用孔、第３係合用孔、第４係合用孔、第１壁掛け用爪及び第２壁掛け用爪並びに前記角度調節脚の第１係合用爪、第２係合用爪、第１壁掛け用孔及び第２壁掛け用孔が、それぞれ一対設けられていることを特徴とする請求項１記載の卓上機器の角度調節及び壁掛け用機構。
【請求項３】
前記卓上機器の第２係合用孔が第３係合用孔を兼ねることを特徴とする請求項１記載の卓上機器の角度調節及び壁掛け用機構。
【請求項４】
前記第１係合用爪は、前記角度調節脚の下面に設けられ、略Ｌ字形状に構成されることを特徴とする請求項１記載の卓上機器の角度調節及び壁掛け用機構。
【請求項５】
前記第２係合用爪は、前記角度調節脚の上面に設けられ、略Ｌ字形状に構成されることを特徴とする請求項１記載の卓上機器の角度調節及び壁掛け用機構。
【請求項６】
前記第１壁掛け用孔は、前記角度調節脚の上面の一端側に設けられ、前記第２壁掛け用孔は、前記角度調節脚の上面の他端側に設けられることを特徴とする請求項１記載の卓上機器の角度調節及び壁掛け用機構。
【発明の詳細な説明】
【技術分野】
【０００１】
本発明は、電話機等の卓上機器の角度調節用機構及び壁掛け用機構に関するものである。
【背景技術】
【０００２】
従来の技術として電話機の角度調節及び壁掛け用機構について説明する（例えば、特許文献１参照。）。
【０００３】
図６（Ａ）〜（Ｃ）は、従来の電話機の諸状態をそれぞれ示す概略的側面図である。
【０００４】
図６（Ａ）は、電話機３１の操作面３２が水平な机上４１に対して小さい角度α傾斜した第１の姿勢状態を示す。電話機３１は、本体３３に取付けられている角度調節脚３４と一対の足３５によって机上４１で支持されている。各足３５は、電話機３１が机上４１をスリップすることを防止するために、ゴム等の材料から製造される。使用者は、操作面３２に設置されている諸ボタンを容易に操作でき、また、操作面３２のディスプレイを容易に見ることができる。角度調節脚３４の第１表面３４ａは、本体３３に取付けられる。この点の詳細は、後述する。
【０００５】
図６（Ｂ）は、電話機３１の操作面３２が水平な机上４１に対して大きい角度β傾斜した第２の姿勢状態を示す。スタンド３４の第２表面３４ｂは、基台３３に取付けられる。諸ボタンの操作のし易さとディスプレイの見易さから、この状態を好む使用者もいる。
【０００６】
図６（Ｃ）は、電話機３１が鉛直な壁４２に掛けられた状態を示す。図６（Ｃ）における角度調節脚３４の第１表面３４ａは、図６（Ａ）及び図６（Ｂ）における角度調節脚３４の第１表面３４ａとは異なる位置で本体３３に取付けられている。本体３３に取付けられる第１ハンガー３６と第２ハンガー３７は、電話壁掛けプレート４３上に設けられる第１タブと第２タブ（いずれも図示せず）に、それぞれはまる。
【０００７】
図７は、角度調節脚３４の拡大斜視図である。角度調節脚３４が第１の姿勢で本体３３に取付けられると、第２表面３４ｂの一端側に設けられた一対の第１の足３４ｃは机上４１に当接する。このとき、第１表面３４ａに設けられた一対の開口３４ｄは、本体３３に設けられた一対の第１のクリップ（図示せず）にそれぞれスナップフィットされる。角度調節脚３４が第２の姿勢で本体３３に取付けられると、第１表面３４ａの一端側に設けられた一対の第２の足３４ｅは机上４１に当接する。このとき、第２表面３４ｂに設けられた一対の開口３４ｆは、本体３３に設けられた一対の第２のクリップ（図示せず）にそれぞれスナップフィットされる。
【０００８】
【特許文献１】特表２００２−５２５８９０号公報（第７頁第２９行−第９頁第２０行、図１，２）
【発明の開示】
【発明が解決しようとする課題】
【０００９】
前記従来の電話機の角度調節及び壁掛け用機構では、電話機３１の第１の姿勢と第２の姿勢を実現するために、角度調節脚３４は２つの表面３４ａ，３４ｂと２組の一対の足３４ｃ，３４ｅを有する。また、角度調節脚３４の本体３３に対する取付け及び取外しが煩雑である。
【００１０】
そこで、本発明は、前記従来の電話機の欠点を改良し、角度調節脚の構造が簡素で、角度調節脚の本体に対する取付け及び取外しが容易な電話機等の卓上機器の角度調節及び壁掛け用機構を提供しようとするものである。
【課題を解決するための手段】
【００１１】
本発明は、前記課題を解決するため、次の手段を採用する。
【００１２】
１．卓上機器の下面に、第１係合用孔、第２係合用孔、第３係合用孔、第４係合用孔、第１壁掛け用爪、第２壁掛け用爪及び壁掛け用係合部が設けられ、角度調節脚に、第１係合用爪、第２係合用爪、第１壁掛け用孔、第２壁掛け用孔及び壁掛け用係合部が設けられ、前記卓上機器が小さい角度傾斜する場合には、前記角度調節脚の第１係合用爪と第２係合用爪がそれぞれ前記卓上機器の第１係合用孔と第２係合用孔に係合し、前記卓上機器が大きい角度傾斜する場合には、前記角度調節脚の第１係合用爪と第２係合用爪がそれぞれ前記卓上機器の第３係合用孔と第４係合用孔に係合し、前記卓上機器が壁に掛かる場合には、前記角度調節脚の第１壁掛け用孔と第２壁掛け用孔がそれぞれ前記卓上機器の第１壁掛け用爪と第２壁掛け用爪に係合し、前記卓上機器の壁掛け用係合部と前記角度調節脚の壁掛け用係合部がそれぞれ壁に係合する卓上機器の角度調節及び壁掛け用機構。
【００１３】
２．前記卓上機器の第１係合用孔、第２係合用孔、第３係合用孔、第４係合用孔、第１壁掛け用爪及び第２壁掛け用爪並びに前記角度調節脚の第１係合用爪、第２係合用爪、第１壁掛け用孔及び第２壁掛け用孔が、それぞれ一対設けられている前記１記載の卓上機器の角度調節及び壁掛け用機構。
【００１４】
３．前記卓上機器の第２係合用孔が第３係合用孔を兼ねる前記１記載の卓上機器の角度調節及び壁掛け用機構。
【００１５】
４．前記第１係合用爪は、前記角度調節脚の下面に設けられ、略Ｌ字形状に構成される前記１記載の卓上機器の角度調節及び壁掛け用機構。
【００１６】
５．前記第２係合用爪は、前記角度調節脚の上面に設けられ、略Ｌ字形状に構成される前記１記載の卓上機器の角度調節及び壁掛け用機構。
【００１７】
６．前記第１壁掛け用孔は、前記角度調節脚の上面の一端側に設けられ、前記第２壁掛け用孔は、前記角度調節脚の上面の他端側に設けられる前記１記載の卓上機器の角度調節及び壁掛け用機構。
【発明の効果】
【００１８】
明細書の説明から明らかなように、本発明は、次の効果を奏する。
【００１９】
１．角度調節脚の第１，２係合用爪を卓上機器の第１〜４係合用孔に対して係合離脱するのみで、卓上機器の傾斜角度を調節でき、また、角度調節脚の第１，２壁掛け用孔を卓上機器の第１，２壁掛け用爪に係合するのみで、卓上機器が壁掛け態勢になるので、便利である。
【００２０】
２．角度調節脚の構造が簡素である。
【００２１】
３．角度調節脚の他に余分な部品を必要としないので、コストが安価である。
【発明を実施するための最良の形態】
【００２２】
本発明の一実施例の電話機の角度調節及び壁掛け用機構について説明する。
【実施例１】
【００２３】
本発明の実施例１について図１〜図５を参照して説明する。
【００２４】
図１（Ａ）は、電話機１の側面図とその本体２から取外された角度調節脚１１の斜視図である。図１（Ｂ）は、電話機１の操作面３が机上等の水平面に対して小さい角度傾斜した第１の姿勢状態を示す要部の断面図である。なお、図１（Ａ）において、角度調節脚１１に設けられた一対の第１係合用爪１１ａの一方と一対の第２係合用爪１１ｂの一方は、図示を省略されている。
【００２５】
図１（Ｂ）に示される第１の姿勢状態においては、角度調節脚１１の一対の第１係合用爪１１ａと一対の第２係合用爪１１ｂは、電話機１の本体２に設けられた一対の第１係合用孔２ａと一対の第２係合用孔２ｂに、それぞれ係合している。この状態の下面図は、図４（Ａ）に示されている。
【００２６】
図２（Ａ）は、電話機１の操作面３が机上等の水平面に対して大きい角度傾斜した第２の姿勢状態の側面図である。図２（Ｂ）は、図２（Ａ）における要部の断面図である。
【００２７】
図２（Ｂ）に示される第２の姿勢状態においては、角度調節脚１１の一対の第１係合用爪１１ａと一対の第２係合用爪１１ｂは、電話機１の一対の第３係合用孔２ｃと一対の第４係合用孔２ｄに、それぞれ係合している。この状態の下面図は、図４（Ｂ）に示されている。
【００２８】
第２〜第４係合用孔２ｂ〜２ｄは、図３（Ａ）に示され、第１，２係合用爪１１ａ，１１ｂは、図５に示されている。
【００２９】
電話機１を壁２１に掛けるときの第３の姿勢状態について図３を参照して説明する。電話機１の本体２の下面には、一対の第１壁掛け用爪２ｅと一対の第２壁掛け用爪２ｆが設けられている。
【００３０】
角度調節脚１１には、図５に示されるように、下面の一端側に一対の係合用爪１１ａが、上面の一端側に一対の係合用爪１１ｂが、それぞれ設けられている。また、上面の他端側に一対の第１壁掛け用孔１１ｃが、上面の一端側に一対の第２壁掛け用孔１１ｄが、それぞれ設けられている。
【００３１】
更に、図３に示されるように、電話機１の本体２の下面には、壁掛け用係合部２ｇが設けられ、図５（Ｂ）に示されるように、角度調節脚１１の下面の中央付近には、壁掛け用係合部１１ｅが設けられている。
【００３２】
図３（Ａ）に示されるように、角度調節脚１１の二対の第１，２壁掛け用孔１１ｃ，１１ｄを電話機１の二対の第１，２壁掛け用爪２ｅ，２ｆに、それぞれ係合すると、図３（Ｂ）の状態に至る。
【００３３】
続いて、電話機１の壁掛け用係合部２ｇと角度調節脚１１の壁掛け用係合部１１ｅを、壁２１にねじ込まれている一対のねじ２２，２３に、それぞれ係合すると、電話機１は壁２１に掛けられる。
【００３４】
本実施例において、第２係合用孔２ｂが第３係合用孔２ｃを兼ねるように設計変更することができる。
【００３５】
また、第１，２係合用爪１１ａ，１１ｂを略Ｌ字形状に構成すると、それぞれ第１〜４係合用孔２ａ〜２ｄに容易に係合することができる。
【図面の簡単な説明】
【００３６】
【図１】本発明の実施例１に係る電話機が小さい角度傾斜した状態であり、（Ａ）は同電話機の側面図と角度調節脚の斜視図、（Ｂ）は要部の断面図を、それぞれ示す。
【図２】同電話機が大きい角度傾斜した状態であり、（Ａ）は側面図、（Ｂ）は要部の断面図を、それぞれ示す。
【図３】同電話機を壁に掛けるときの諸図であり、（Ａ）は同電話機に同角度調節脚を係合する前の斜視図、（Ｂ）は同電話機に同角度調節脚を係合した後の斜視図、（Ｃ）は同電話機を同壁に掛ける前の側面図を、それぞれ示す。
【図４】同電話機を下面側から見た斜視図であり、（Ａ）は同電話機が小さい角度傾斜した状態、（Ｂ）は同電話機が大きい角度傾斜した状態を、それぞれ示す。
【図５】同角度調節脚の諸図であり、（Ａ）は側面側から見た斜視図、（Ｂ）は下面側から見た斜視図、（Ｃ）は上面側から見た斜視図を、それぞれ示す。
【図６】従来の技術に係る電話機の諸側面図であり、（Ａ）は同電話機が小さい角度傾斜した状態、（Ｂ）は同電話機が大きい角度傾斜した状態、（Ｃ）は同電話機が壁に掛けられた状態を、それぞれ示す。
【図７】同電話機の角度調節脚の斜視図である。
【符号の説明】
【００３７】
１  電話機
２  本体
２ａ  第１係合用孔
２ｂ  第２係合用孔
２ｃ  第３係合用孔
２ｄ  第４係合用孔
２ｅ  第１壁掛け用爪
２ｆ  第２壁掛け用爪
２ｇ  壁掛け用係合部
３  操作面
１１  角度調節脚
１１ａ  第１係合用爪
１１ｂ  第２係合用爪
１１ｃ  第１壁掛け用孔
１１ｄ  第２壁掛け用孔
１１ｅ  壁掛け用係合部
２１  壁
２２  ねじ
２３  ねじ
【図１】
2005311800.tif 000003
【図２】
2005311800.tif 000004
【図３】
2005311800.tif 000005
【図４】
2005311800.tif 000006
【図５】
2005311800.tif 000007
【図６】
2005311800.tif 000008
【図７】
2005311800.tif 000009